(57)【要約】【課題】  支柱の構造に依存することなくブラケットの後部浮き上がりを防止し、当該ブラケットを介して上下方向における陳列空間を狭めることなくベース棚板を支持する陳列棚を提供すること。【解決手段】  左右一対のベース側部材１１と、当該ベース側部材にブラケット１７を介して支持されるベース棚板１８とを備えて陳列棚１０が構成されている。ブラケット１７は、ベース棚板の前端を支持する長さを備えた支持部３３と、合う浮き上がり規制部３４とを含む。この浮き上がり規制部は、ベース側部材の上部位置と下部位置とを回り込んでベース側部材に係り合う形状に設けられ、ベース棚板の前端部上方に偏荷重が加えられても当該ベース棚板の後部浮き上がりを規制するようになっている。【選択図】          図４
2005334382.tif 000002
【特許請求の範囲】
【請求項１】
前後方向に向けられる左右一対のベース側部材と、これらベース側部材に配置される支持部材と、前記ベース側部材にブラケットを介して支持されるベース棚板とを含む陳列棚において、
前記ブラケットは、ベース棚板の前端を支持する長さを備えた支持部と、当該支持部に設けられるとともに、ベース側部材に係り合う浮き上がり規制部とを備え、
前記浮き上がり規制部は、ベース側部材の上部位置と下部位置とを回り込む形状に設けられて当該ベース側部材に係り合うことを特徴とする陳列棚。
【請求項２】
前後方向に向けられる左右一対のベース側部材と、これらベース側部材の後部に配置される支持部材と、前記ベース側部材にブラケットを介して支持されるベース棚板とを含み、当該ベース棚板の前端がベース側部材の前端よりも前方に突出する大きさに設けられた陳列棚において、
前記ブラケットは、ベース棚板の前端を支持する長さを備えた支持部と、当該支持部の後部に一体に連なるとともに、ベース側部材に係り合う浮き上がり規制部とを備え、
前記浮き上がり規制部は、ベース側部材の上部位置と下部位置とを回り込む形状に設けられて当該ベース側部材に係り合うことを特徴とする陳列棚。
【請求項３】
前記支持部は、前記ブラケットがベース側部材に取り付けられた状態で、当該ベース側部材の上面から起立して前後方向に延びる片状をなし、
前記浮き上がり規制部は、支持部の後部下端に連なってベース側板の上面と略平行に位置する上平面と、当該上平面の先端から下方に向けられてベース側部材の側面に沿う垂下面と、この垂下面の下端から屈曲する方向に連設されてベース側部材の側面に形成された穴又は下端面に係り合う下平面とにより構成されていることを特徴とする請求項１又は２記載の陳列棚。
【請求項４】
前記浮き上がり規制部は、前記ベース側部材に対する前記ブラケットの後部跳ね上がり支点よりも後方に位置することを特徴とする請求項１，２又は３記載の陳列棚。
【請求項５】
前記ブラケットは前後方向及び左右方向の移動規制部を更に含み、当該移動規制部は、前記ベース側部材の上面に形成される穴に挿入されることを特徴とする請求項１ないし４の何れかに記載の陳列棚。
【請求項６】
前記ブラケットを左右のベース側部材に取り付けた状態で、これらブラケット間に掛け渡される横行部材を含み、当該横行部材を介してベース棚板が支持されることを特徴とする請求項１ないし５の何れかに記載の陳列棚。
【請求項７】
前記横行部材とベース棚板との間に、相対滑りを規制する滑り規制部材が設けられていることを特徴とする請求項６記載の陳列棚。
【発明の詳細な説明】
【技術分野】
【０００１】
本発明は陳列棚に係り、更に詳しくは、上下方向における陳列スペースを狭めることがない陳列棚に関する。
【背景技術】
【０００２】
周知のように、スーパーマーケットやコンビニエンスストア等の店舗では、多段型に組み立てられた陳列棚が用いられている。この陳列棚は、左右一対の支柱と、これら支柱の下端部において前後方向に向かって連結された左右一対のベース側部材と、当該ベース側部材上に配置されるベース棚板と、支柱の所定高さ位置に設けられた複数の棚板とを備えて構成されている。
【０００３】
ベース棚板の取り付け構造としては、例えば、図１０に示されるように、支柱７０の下端に溶接等の手段でベース側部材７１を固定し、当該ベース側部材７１の上面を支持面としてベース棚板７２を配置する構成が知られている。ここで、ベース棚板７２は、陳列面積を大きく確保するために、ベース側部材７１の前端間に配置された幕板７３よりも前方に突出する大きさを備えたものを採用する場合が多い。
しかしながら、このような構成では、ベース棚板７２の前端部上方から下向きの力Ｆが加えられたときに、後端部が浮き上がってしまう、という不都合がある。
【０００４】
このような後端部の浮き上がりを防止する構成としては、例えば、図１１及び図１２に示されように、ベース側部材７１の上面にブラケット７５を配置し、このブラケット７５にスチール製のベース棚板７６を支持させる構成が採用されている。これを更に詳述すると、ブラケット７５は、前端位置がベース棚板７６の前端位置に略一致する前後方向長さを備えた片状をなし、その後端縁に、支柱７０の前面に形成されたスロット穴７０Ａに挿入される爪片７７が設けられる一方、前部側下縁に、ベース側部材７１の上面に形成されたスロット穴７１Ａに挿入される爪片７８が設けられている。従って、ブラケット７５は、その後部浮き上がりが規制されるため、ベース棚板７６の前端部上方から下向きの力Ｆが加えられることがあっても、当該ベース棚板７６の後端部浮き上がりが規制されることとなる。
【発明の開示】
【発明が解決しようとする課題】
【０００５】
しかしながら、図１１及び図１２に示される構成にあっては、ブラケット７５の後端縁に設けられた爪片７７を支柱７０のスロット穴７０Ａに挿入する構成であるため、ブラケット７５の上下方向高さが必然的に高くなり、当該ブラケット７５に支持されるベース棚板７６の面位置がその分上昇して高さ方向における陳列空間を狭めてしまう、という不都合を招来する。
【０００６】
この場合、支柱７０に形成される最下位のスロット穴７０Ａをできるだけ低い位置に設ければ良いことにもなるが、支柱７０の下端部強度を考慮すると、最下位のスロット７０Ａの形成位置をあまり低い位置に設けることは好ましくないので、ブラケット７５の高さを低く抑制するには限界がある。また、この構成は、支柱７０の前端面にスロット穴が形成されていない場合には適用することもできず、設計上の制約も伴うものとなる。
【０００７】
［発明の目的］
本発明は、このような不都合に着目して案出されたものであり、その目的は、ブラケットを介してベース棚板を支持するに際し、支柱側の構造に依存することなくブラケットの後部浮き上がりを防止でき、しかも、ブラケットの高さを可能な限り低く設定してベース棚板の支持を実現し、上下方向における陳列空間を狭めてしまうことのない陳列棚を提供することにある。
【課題を解決するための手段】
【０００８】
前記目的を達成するため、本発明は、前後方向に向けられる左右一対のベース側部材と、これらベース側部材に配置される支持部材と、前記ベース側部材にブラケットを介して支持されるベース棚板とを含み、当該ベース棚板の前端がベース側部材の前端よりも前方に突出する大きさに設けられた陳列棚において、
前記ブラケットは、ベース棚板の前端を支持する長さを備えた支持部と、当該支持部に設けられるとともに、ベース側部材に係り合う浮き上がり規制部とを備え、
前記浮き上がり規制部は、ベース側部材の上部位置と下部位置とを回り込む形状に設けられて当該ベース側部材に係り合う、という構成を採っている。
【０００９】
また、本発明は、前後方向に向けられる左右一対のベース側部材と、これらベース側部材の後部に配置される支持部材と、前記ベース側部材にブラケットを介して支持されるベース棚板とを含む陳列棚において、
前記ブラケットは、ベース棚板の前端を支持する長さを備えた支持部と、当該支持部の後部に一体に連なるとともに、ベース側部材に係り合う浮き上がり規制部とを備え、
前記浮き上がり規制部は、ベース側部材の上部位置と下部位置とを回り込む形状に設けられて当該ベース側部材に係り合う、という構成を採っている。
【００１０】
本発明において、前記支持部は、前記ブラケットがベース側部材に取り付けられた状態で、当該ベース側部材の上面から起立して前後方向に延びる片状をなし、
前記浮き上がり規制部は、支持部の後部下端に連なってベース側板の上面と略平行に位置する上平面と、当該上平面の先端から下方に向けられてベース側部材の側面に沿う垂下面と、この垂下面の下端から屈曲する方向に連設されてベース側部材の側面に形成された穴又は下端面に係り合う下平面とにより構成することができる。
【００１１】
また、前記浮き上がり規制部は、前記ベース側部材に対する前記ブラケットの後部跳ね上がり支点よりも後方に位置するように設けられている。
【００１２】
更に、前記ブラケットは前後方向及び左右方向の移動規制部を更に含み、当該移動規制部は、前記ベース側部材の上面に形成される穴に挿入されるように設けることが好ましい。
【００１３】
また、前記ブラケットを左右のベース側部材に取り付けた状態で、これらブラケット間に掛け渡される横行部材を含み、当該横行部材を介してベース棚板を支持することもできる。この際、横行部材とベース棚板との間に、相対滑りを規制する滑り規制部材を設けることが好ましい。
【発明の効果】
【００１４】
本発明によれば、ブラケットに設けられた浮き上がり規制部がベース側部材に係り合う構成としたから、支柱等の支持部材を利用することなく浮き上がり規制を実現でき、ブラケットの高さを抑制することができる。従って、ブラケットを利用して棚板を支持しても、ベース棚板の上面位置をできるだけ低く設定できるようになる。
しかも、支持部材にスロット穴等が設けられていなくてもブラケットをベース側部材に支持させることができることで、支持部材の構造が制約されることもない。
また、浮き上がり規制部がベース側部材の上部位置と下部位置を回り込む形状により構成できるので、ベース側部材の外面に沿う領域を支持部に連設するだけで構成も極めて簡単なものとすることができる。
更に、左右のブラケット間に横行部材を掛け渡してベース棚板を支持する構成を採用することにより、ベース棚板としてスチール棚以外の樹脂製板や木製板等も支持する適性をも付与することができる。この際、相対滑りも規制可能であるため、ベース棚板が不用意に前後若しくは左右方向に移動してしまうことも回避することができる。
【発明を実施するための最良の形態】
【００１５】
以下、本発明に係る陳列棚の実施形態について、図面を参照しながら説明する。
【００１６】
［第１実施形態］
図１ないし図４には、第１実施形態に係る陳列棚が示されている。全体構成を示す図１及び一部分解斜視図を示す図２において、陳列棚１０は、前後方向に向けられた左右一対のベース側部材１１，１１と、これらベース側部材１１の後部上面側にそれぞれ配置されるとともに、溶接等の手段で固定された左右一対の支持部材としての支柱１２，１２と、当該支柱１２間に配置されたバックパネル１３と、支柱１２の上端部を跨ぐように掛け渡された連結桟１５と、ベース側部材１１の前端部間に装着された幕板１６と、ベース側部材１１にブラケット１７を介して支持されたベース棚板１８とを備えて構成されている。
【００１７】
ベース側部材１１は、特に限定されるものではないが、本実施形態では、スチール等の金属板をプレス等の手段で折り曲げて中空箱状に設けられている。具体的には、図３及び図４に示されるように、相互に略平行に設けられた上面２０及び下面２１と、内側面２２及び外側面２３と、これらの前後に位置する前端面２４及び後端面２５とを備えて構成されている。ここでは内側面２２側が閉塞された場合を図示しているが、この内側面２２の上下方向中間を開放してベース側部材１１の断面形状を略Ｃ字状とする場合もある。上面２０の前部側には前後方向に向けられたスロット穴２０Ａが形成されている一方、下面２１の前後二箇所には、高さ調整用のアジャスタ２６が取り付けられている。また、前端面２４には上下方向に向けられたスロット穴２４Ａが形成され、当該スロット穴２４に幕板１６の左右両側に設けられたフック２７が引っ掛けられるようになっている。
【００１８】
前記支柱１２は、略中空の角柱状をなし、その前端面２９と内側面３０に上下方向に延びるスロット穴２９Ａ、３０Ａを備えた形状に設けられている。スロット穴２９Ａは、ベース棚板１８の上方に配置される図示しない棚板を支持するブラケットを取り付けるために利用される一方、スロット穴３０Ａは、バックパネル１３を取り付けるために利用されるようになっている。なお、支柱１２の上端には、キャップ３２（図１参照）が取り付けられている。
【００１９】
前記ブラケット１７は、図２ないし図４に示されるように、支柱１２の前端に略対応する位置からベース側部材１１の前端間に配置された幕板１６よりも前方に突出してベース棚板１８の前端を支持する長さを備えた片状の支持部３３と、この支持部３３の後部に一体に連なる浮き上がり規制部３４と、支持部３３の前部側下端に一体に連なるとともに、ベース側部材１１の上面２０に形成されたスロット穴２０Ａに差し込まれてブラケット１７の前後及び左右方向への移動を規制する移動規制部としての爪３５とを備えて構成されている。ここで、支持部３３は、上縁が下縁の前後方向長さよりも長くなるように前部に傾斜縁３３Ａを備えた形状に設けられている。従って、ベース棚板１８の前端部に上方からの偏荷重が作用した場合を仮定すると、前記傾斜縁３３Ａの後端とベース側部材１１の上面２０との交点がブラケット１７の後部跳ね上がり支点を形成することとなる。
【００２０】
前記浮き上がり規制部３４は、支持部３３の後部下端から内側に向けられてベース側部材１１の上面２０と略平行に位置する上平面３７と、この上平面３７の先端となる内方端から下方に向けられてベース側部材１１の内側面２２に沿う垂下面３８と、当該垂下面３８の下端から外側屈曲方向に連なってベース側部材１１の下面２１に係り合う下平面３９とにより構成されている。従って、浮き上がり規制部３４は、図３に示されるように、その断面形状が略コ字状をなす形状となり、ベース側部材１１に取り付けられたときに、ベース側部材１１の上部位置と下部位置とを回り込んで当該ベース側部材１１に係り合うこととなる。
【００２１】
前記ベース棚板１８は、一枚のスチール板をプレス成形することによって形成されている。このベース棚板１８は、図２及び図３に示されるように、上壁４０と、当該上壁の左右及び前後各縁から垂下する左右一対の側壁４１，４１及び前後一対の前壁４２及び後壁４３と、上壁４０の下面側で左右方向に延びる図示しない補強桟とを備えて構成されている。側壁４１，４１は、その内面側にブラケット１７の支持部３３が位置する状態で当該ブラケット１７及びベース側部材１１の上面２０に支持されるようになっている。
【００２２】
以上の構成において、ベース棚板１８を取り付ける場合には、浮き上がり規制部３４の上平面３７と下平面３９との間にベース側部材１１の内側略半分を収容する。これにより、支持部３３がベース側部材１１の上面から起立するとともに、爪３５がスロット穴２０Ａ内に入り込む状態となる。そして、左右両側の支持部３３，３３を跨ぐようにベース棚板１８を被せるように載せればよい。この状態では、支持部３３の前端部がベース棚板１８の前端部下面側に位置するようになり、当該ベース棚板１８の前端部に上方からの力が付与されることがあっても、後部側の浮き上がりが規制されることとなる。
【００２３】
従って、このような第１実施形態によれば、支柱１２を利用することなくベース棚板１８を支持することができるので、ブラケット１７における支持部３３の高さを小さく設定することで、ベース棚板１８を低い位置に配置することが可能となり、上下方向における陳列スペースを最大限に確保することができるという効果を得る。
【００２４】
［第２実施形態］
次に、本発明の第２実施形態について、図５及び図６を参照しながら説明する。なお、以下の説明において、前記第１実施形態と同一若しくは同等の構成部分については同一符号を用いるものとし、説明を省略若しくは簡略にする。
【００２５】
第２実施形態は、浮き上がり規制部３４の形状を若干変更したところに特徴を有する。すなわち、浮き上がり規制部３４を構成する垂下面３８の垂下長さを短くして下平面３９を設ける一方、ベース側部材１１の内側面２２に前後方向に延びるスロット穴２２Ａを形成し、当該スロット穴２２Ａに下平面３９を差し込むことにより、浮き上がり規制部３４がベース側部材１１の上部位置と下部位置とを回り込んで係り合うように構成されている。その他の構成は、前記第１実施形態と同様である。
【００２６】
このような第２実施形態によれば、既述の効果が得られる他、ベース側部材１１の下面が床面との間に隙間なく配置される場合、すなわち、アジャスタ２６が存在しない構成であっても適用可能になる、という効果を付加することができる。
【００２７】
［第３実施形態］
図７及び図８には、本発明の第３実施形態が示されている。この実施形態は、第１実施形態で示した左右一対のブラケット１７，１７間に横行部材４５を前後二箇所に掛け渡して当該横行部材４５にアクリル樹脂等からなるベース棚板４６を支持したところに特徴を有する。横行部材４５は、スチール等の金属板をプレス成形することによって得ることができ、長手方向両側に設けられた下向きフック部４７を支持部３３に引っ掛けるように配置することで、左右方向移動不能且つ前後方向移動可能に取り付けられている。この横行部材４５の上面とベース棚板４６との接触領域には、シート状のゴム片等からなる滑り規制部材４８が介在するように設けられ、これにより、横行部材４５とベース棚板４６との相対滑りが規制されるようになっている。
【００２８】
従って、このような第３実施形態によれば、中実板状をなすベース棚板をも対象として取り付けることが可能となる。
【００２９】
［第４実施形態］
図９には、本発明の第４実施形態が示されている。この実施形態は、第１及び第３実施形態の組み合わせるとともに、ブラケット１７の前端位置を幕板１６の前端位置に略対応させた前後方向長さとし、また、浮き上がり規制部３４を前方に設定したところに特徴を有する。この実施形態におけるベース棚板４６は、ガラス板を用いた場合に特に適合するものである。浮き上がり規制部３４の位置は、ベース棚板１８の前端部に上方から偏荷重が作用したと仮定した場合の後部跳ね上がり支点の直近後方に設定されている。なお、浮き上がり規制部３４は、第２実施形態で示した構成に代替してもよいことは勿論である。
【００３０】
このような第４実施形態においても、前述した各実施形態と同様の作用、効果を得ることができる。
【００３１】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３２】
例えば、前記実施形態では、浮き上がり規制部３４がベース側部材１１の内側に位置する構成を図示、説明したが、外側に位置するように設けることも可能である。但し、前記実施形態で示した構成によれば、浮き上がり規制部３４が外側から見えない状態となるため、製品外観上の体裁を損なうことがない他、陳列棚１０を横方向に連結して増設する際に、当該増設部位におけるベース側部材１１を共用することができる。また、ブラケット１７は、ベース側部材１１の上面２０に接する下端縁の前後方向略全域に、前記浮き上がり規制部３４を構成する上平面３７と面一に連なる片を備えた断面Ｌ型に構成とすることができ、これにより、ブラケット１７の取り付け姿勢を一層安定化させることが可能となる。また、浮き上がり規制部３４及び移動規制部を構成する爪３５は、支持部３３の前後複数箇所にそれぞれ設けることを妨げない。要するに、本発明は、支柱１２の構造に関係なくブラケット１７の後部浮き上がりが規制できる限りにおいて、種々の設計変更を行うことができる。
【００３３】
更に、前記実施形態では、左右一対の支柱１２を支持部材として用いた場合を示したが、ベース側部材１１を支持し得る構造体である限り、種々のものが採用できる。また、支柱１２は、内側面にスロット穴３０Ａを設けたが、このスロット穴３０Ａを利用することなくバックパネル１３を支持する構成とした場合には、省略することができる。
【００３４】
また、前記実施形態では、支柱１２がベース側部材１１の後部に設けられた場合を示したが、ベース側部材１１の前後方向中間部に支柱１２を配置し、当該支柱を中間に挟むようにして前後にブラケット１７をそれぞれ配置し、陳列領域が前後二つの領域に形成されるタイプの陳列棚にも適用することができる。
【００３５】
更に、前記浮き上がり規制部３４は支持部３３との一体構造に限らず、別体のものとして構成し、支持部３３に対して浮き上がり規制部３４をねじで連結したり、適宜な嵌め合いによって連結する構成、或いは溶接等により連結してもよい。
【図面の簡単な説明】
【００３６】
【図１】本発明の第１実施形態に係る陳列棚の一部概略斜視図。
【図２】図１の一部を省略した分解斜視図。
【図３】図１のＡ−Ａ線に沿う矢視拡大断面図。
【図４】図１のＢ−Ｂ線に沿う矢視拡大断面図。
【図５】第２実施形態に係る陳列棚の図３と同様の断面図。
【図６】第２実施形態に係る陳列棚の図４と同様の断面図。
【図７】第３実施形態に係る陳列棚の一部概略斜視図。
【図８】第３実施例に係る陳列棚の図３と同様の断面図。
【図９】第４実施形態に係る図４と同様の断面図。
【図１０】従来の陳列棚の不都合を説明するための要部断面図。
【図１１】浮き上がり規制を行う従来構造を示す要部断面図。
【図１２】図１１のＣ−Ｃ線に沿う断面図。
【符号の説明】
【００３７】
１０  陳列棚
１１  ベース側部材
１２  支柱（支持部材）
１７  ブラケット
１８  ベース棚板
２０  上面
２１  下面
２２  内側面
３３  支持部
３４  浮き上がり規制部
３３  爪（移動規制部）
３７  上平面
３８  垂下面
３９  下平面
４５  横行部材
４６  ベース棚板
４８  滑り規制部材
【図１】
2005334382.tif 000003
【図２】
2005334382.tif 000004
【図３】
2005334382.tif 000005
【図４】
2005334382.tif 000006
【図５】
2005334382.tif 000007
【図６】
2005334382.tif 000008
【図７】
2005334382.tif 000009
【図８】
2005334382.tif 000010
【図９】
2005334382.tif 000011
【図１０】
2005334382.tif 000012
【図１１】
2005334382.tif 000013
【図１２】
2005334382.tif 000014